(57)【要約】【課題】  復帰用ばねやスライド用の接片の取り付けを改善して可能な限り小型化するとともに、確実な動作の可能な多方向スライドスイッチを提供すること。【解決手段】  スライダをハウジングのＹ軸方向に移動可能に設け、復帰用のコイルばねは、ばね収納部に収納し、先端部のすり割り部を通して、ハウジングに突設したばね支持部に当接し、また、操作軸をスライダの摺動孔内でＸ軸方向に移動可能に設け、復帰用のコイルばねは、ばね収納部に収納し、先端部のすり割り部を通して、操作軸に突設したばね支持部とを当接する。接触片は、操作軸の押圧突起部を遊嵌する孔から一方向両側に伸びた姿勢保持部と、他方向に伸び複数の接片を有するアーム部とを形成し、姿勢保持部の両端部を、操作軸の下面に隙間を持って取り付ける。【選択図】  図１
2005310439.tif 000002
【特許請求の範囲】
【請求項１】
ハウジング３５内に設けた電極に、操作軸３８の操作によりスライダ３７を介して接触片３６を多方向に移動して多出力を得るようにした多方向スライドスイッチにおいて、前記スライダ３７をハウジング３５の内部で所定方向に移動可能に設け、前記操作軸３８をスライダ３７の摺動孔５２内で前記スライダ３７と異なる方向に移動可能に設けたことを特徴とする多方向スライドスイッチ。
【請求項２】
ハウジング３５内に設けた電極に、操作軸３８のセンタープッシュにより出力を得るとともに、操作軸３８の操作によりスライダ３７を介して接触片３６を多方向に移動して多出力を得るようにした多方向スライドスイッチにおいて、前記スライダ３７をハウジング３５の内部で所定方向に移動可能に設け、前記操作軸３８をスライダ３７の摺動孔５２内で前記スライダ３７と異なる方向に移動可能に設けたことを特徴とする多方向スライドスイッチ。
【請求項３】
ハウジング３５内に設けた電極に、操作軸３８の操作によりスライダ３７を介して接触片３６を多方向に移動して多出力を得るようにした多方向スライドスイッチにおいて、前記スライダ３７をハウジング３５の内部で一方向に移動可能に設けるとともに、このスライダ３７の移動方向におけるスライダ３７の両側とハウジング３５との間に復帰用のコイルばね５８をそれぞれ設け、前記操作軸３８をスライダ３７に設けた摺動孔５２内で前記スライダ３７と異なる方向に移動可能に設けるとともに、この操作軸３８の移動方向における操作軸３８と摺動孔５２との間に復帰用のコイルばね６７を設けたことを特徴とする多方向スライドスイッチ。
【請求項４】
一方向復帰用のそれぞれのコイルばね５８は、スライダ３７におけるスライダ３７の移動方向に設けたばね収納部５５に収納し、このばね収納部５５の先端部に形成したすり割り部５６を通して、前記コイルばね５８の端部とハウジング３５に設けたばね支持部４７とを当接し、異なる方向復帰用のコイルばね６７は、操作軸３８における操作軸３８の移動方向に設けたばね収納部６２に収納し、このばね収納部６２の先端部に形成したすり割り部６３を通して、前記コイルばね６７の端部と摺動孔５２に臨ませてスライダ３７に設けたばね支持部５３とを当接したことを特徴とする請求項３記載の多方向スライドスイッチ。
【請求項５】
一方向復帰用のそれぞれのコイルばね５８は、ハウジング３５におけるスライダ３７の移動方向に設けたばね収納部５５に収納し、このばね収納部５５の先端部に形成したすり割り部５６を通して、前記コイルばね５８の端部とスライダ３７に設けたばね支持部４７とを当接し、異なる方向復帰用のコイルばね６７は、操作軸３８における操作軸３８の移動方向に設けたばね収納部６２に収納し、このばね収納部６２の先端部に形成したすり割り部６３を通して、前記コイルばね６７の端部と摺動孔５２に臨ませてスライダ３７に設けたばね支持部５３とを当接したことを特徴とする請求項３記載の多方向スライドスイッチ。
【請求項６】
一方向復帰用のそれぞれのコイルばね５８は、スライダ３７におけるスライダ３７の移動方向に設けたばね収納部５５に収納し、このばね収納部５５の先端部に形成したすり割り部５６を通して、前記コイルばね５８の端部とハウジング３５に設けたばね支持部４７とを当接し、異なる方向復帰用のコイルばね６７は、スライダ３７における操作軸３８の移動方向に設けたばね収納部６２に収納し、このばね収納部６２の先端部に形成したすり割り部６３を通して、前記コイルばね６７の端部と操作軸３８に設けたばね支持部５３とを当接したことを特徴とする請求項３記載の多方向スライドスイッチ。
【請求項７】
一方向復帰用のそれぞれのコイルばね５８は、ハウジング３５におけるスライダ３７の移動方向に設けたばね収納部５５に収納し、このばね収納部５５の先端部に形成したすり割り部５６を通して、前記コイルばね５８の端部とスライダ３７に設けたばね支持部４７とを当接し、異なる方向復帰用のコイルばね６７は、スライダ３７における操作軸３８の移動方向に設けたばね収納部６２に収納し、このばね収納部６２の先端部に形成したすり割り部６３を通して、前記コイルばね６７の端部と操作軸３８に設けたばね支持部５３とを当接したことを特徴とする請求項３記載の多方向スライドスイッチ。
【請求項８】
接触片３６は、中央に操作軸３８の下面の押圧突起部６１を遊嵌する孔５０を有し、この孔５０から一方向両側に伸びた姿勢保持部４９を形成し、前記孔５０の他方向に伸びたアーム部７１に接片５１を形成し、前記姿勢保持部４９の両端部を、操作軸３８の下面に隙間を持って取り付けたことを特徴とする請求項１乃至７記載の多方向スライドスイッチ。
【請求項９】
ハウジング３５の底部４１上に設けた電極に、操作軸３８のセンタープッシュにより出力を得るとともに、操作軸３８の操作によりスライダ３７を介して接触片３６を多方向に移動して多出力を得るようにした多方向スライドスイッチにおいて、前記スライダ３７をハウジング３５の内壁に沿ってＹ軸方向に移動可能に設けるとともに、このスライダ３７のＹ軸方向におけるスライダ３７の両側とハウジング３５の内壁との間にＹ軸方向復帰用のコイルばね５８を設け、前記操作軸３８をスライダ３７に設けた摺動孔５２内でＸ軸方向に移動可能に設けるとともに、この操作軸３８のＸ軸方向における操作軸３８の両側と摺動孔５２との間にＸ軸方向復帰用のコイルばね６７を設け、前記Ｙ軸方向復帰用のコイルばね５８は、スライダ３７におけるスライダ３７のＹ軸方向に設けたばね収納部５５に収納し、このばね収納部５５の先端部に形成したすり割り部５６を通して、前記コイルばね５８の端部とハウジング３５に突設したばね支持部４７とを当接し、前記Ｘ軸方向復帰用のコイルばね６７は、スライダ３７における操作軸３８のＸ軸方向に設けたばね収納部６２に収納し、このばね収納部６２の先端部に形成したすり割り部６３を通して、前記Ｘ軸方向復帰用のコイルばね６７の端部と操作軸３８に突設したばね支持部５３とを当接し、前記接触片３６は、中央に操作軸３８の下面の押圧突起部６１を遊嵌する孔５０を有し、この孔５０から一方向両側に伸びた姿勢保持部４９を形成し、前記孔５０の他方向に伸びたアーム部７１に複数の接片５１を形成し、前記姿勢保持部４９の両端部を、操作軸３８の下面に隙間を持って取り付けたことを特徴とする多方向スライドスイッチ。
【請求項１０】
ばね収納部５５及び／又はばね収納部６２の底部は、収納されるコイルばねの曲面に対応して半円形として肉厚を可能な限り薄く形成したことを特徴とする請求項４，５，６、７、９記載の多方向スライドスイッチ。
【発明の詳細な説明】
【技術分野】
【０００１】
本発明は、デジタルカメラ、携帯電話機などに用いられ、多方向にスライドして複数の出力を得ることを可能とした多方向スライドスイッチに関するものである。
【背景技術】
【０００２】
従来のこの種の多方向スライドスイッチは、図１０や図１１に記載されたものが知られている（特許文献１）。
図１０に示されるものは、８角形のハウジング１０の底板１１に、Ｘ軸方向の固定接片２０、２１、Ｙ軸方向の固定接片２２、２３などを配置し、その上に、図中、左右のＹ軸方向ガイド部１５に案内されて移動可能なＹ軸方向スライダ１３が設けられ、また、このＹ軸方向スライダ１３の上に重ねられ、図中、前後のＸ軸方向ガイド部１４に案内されて移動可能なＸ軸方向スライダ１２が設けられている。前記Ｙ軸方向スライダ１３は、図中、前後のＹ軸方向ばね１７で中心位置に保持され、前記Ｘ軸方向スライダ１２は、図中、左右のＸ軸方向ばね１６で中心位置に保持されている。
【０００３】
そして、前記Ｘ軸方向スライダ１２とＹ軸方向スライダ１３の中心位置のＸ軸方向ガイド孔２４とＹ軸方向ガイド孔２５の一致したところに挿通した操作軸２６をＸ軸方向ガイド孔２４にガイドされてスライドすることで、Ｘ軸方向スライダ１２と一体のＸ軸方向可動接片１８はＸ軸方向固定接片２０や２１に接離し、また、操作軸２６をＹ軸方向ガイド孔２５にガイドされてスライドすることで、Ｙ軸方向スライダ１３と一体のＹ軸方向可動接片１９は、Ｙ軸方向固定接片２２や２３に接離する。また、操作軸２６を下向きに押圧することで、図示しない電極に接離し、プッシュスイッチとなる。この結果、各種の信号が出力する。
【０００４】
図１１に示されるものは、４角形のハウジング１０の底板１１に図示しない電極が設けられ、その上に、底板１１の前後の内壁に案内されてＸ軸方向に移動可能なＸ軸方向スライダ１２が設けられ、また、このＸ軸方向スライダ１２の上に重ねられ、底板１１の左右の側壁に案内されてＹ軸方向に移動可能なＹ軸方向スライダ１３が設けられている。前記Ｙ軸方向スライダ１３は、底板１１のばね収納凹部２７に収納された左右のＸ軸方向ばね１６で中心位置に保持され、前記Ｘ軸方向スライダ１２は、底板１１のばね収納凹部２８に収納された前後のＹ軸方向ばね１７で中心位置に保持されている。
【０００５】
そして、前記Ｘ軸方向スライダ１２とＹ軸方向スライダ１３の中心位置のＹ軸方向ガイド孔２５とＸ軸方向ガイド孔２４の一致したところに挿通した操作軸２６をＸ軸方向ガイド孔２４にガイドされてばね押圧切欠き３０でＹ軸方向ばね１７に抗してスライドすることで、Ｘ軸方向スライダ１２と一体のＸ軸方向可動接片１８は図示しない電極に接離し、また、操作軸２６をＹ軸方向ガイド孔２５にガイドされてばね押圧切欠き２９でＸ軸方向ばね１６に抗してスライドすることで、Ｙ軸方向スライダ１３と一体のＹ軸方向可動接片１９は、図示しない電極に接離する。また、操作軸２６を下向きに押圧することで、図示しない電極に接離し、プッシュスイッチとなる。この結果、各種の信号が出力する。
【特許文献１】特開平２００３-３１０７５号公報
【発明の開示】
【発明が解決しようとする課題】
【０００６】
解決しようとする問題点は、次の通りである。
図１０に示すものは、Ｘ軸方向スライダ１２とＹ軸方向スライダ１３を中心に復帰させるＸ軸方向ばね１６とＹ軸方向ばね１７がハウジング１０の内壁とＸ軸方向スライダ１２、Ｙ軸方向スライダ１３の先端部との間に隙間を持って配置されたものであるから、Ｘ軸方向ばね１６とＹ軸方向ばね１７が伸縮するための隙間分だけハウジング１０を大きくしなければならない。また、Ｘ軸方向可動接片１８とＹ軸方向可動接片１９は、Ｘ軸方向スライダ１２とＹ軸方向スライダ１３の両端部に配置したので、やはりその分だけ大きくなる。さらに、Ｘ軸方向スライダ１２とＹ軸方向スライダ１３をスライドさせるためにＸ軸方向ガイド部１４とＹ軸方向ガイド部１５を形成しなければならず複雑な構造となる。さらにまた、左右、前後各１対のＸ軸方向ばね１６とＹ軸方向ばね１７は、一方が圧縮されると他方が伸びるものであって、各１対のばねのバランスによってＸ軸方向スライダ１２とＹ軸方向スライダ１３を中心に復帰させるものであるから、各１対のばねの特性が一致しないと、中心に戻れなくなる。
【０００７】
図１１に示すものは、図１０のものに比較し、ハウジング１０の内壁とＸ軸方向スライダ１２、Ｙ軸方向スライダ１３の先端部との間に隙間を有しないので、その分だけ小型ができる。また、Ｘ軸方向ばね１６とＹ軸方向ばね１７は、底板１１のばね押圧切欠き２９とばね押圧切欠き３０に収納されているので、特性にばらつきがあってもＸ軸方向スライダ１２とＹ軸方向スライダ１３は、中心に戻る。
しかし、図１０に示すものと図１１に示すものは、ともに、Ｘ軸方向可動接片１８とＹ軸方向可動接片１９は、Ｘ軸方向スライダ１２とＹ軸方向スライダ１３の両端部に取り付けられている。もし、小型化して中心位置に取り付けようとすると、センタープッシュとして機能させたときに、スライド用の接片にその都度負荷がかかり、寿命がもたなくなる。したがって、大型化は避けられない。
【０００８】
本発明は、復帰用ばねやスライド用の接片の取り付けを改善して可能な限り小型化するとともに、確実な動作の可能な多方向スライドスイッチを提供することを目的とするものである。
【課題を解決するための手段】
【０００９】
本発明は、ハウジング３５の底部４１上に設けた電極に、操作軸３８のセンタープッシュにより出力を得るとともに、操作軸３８の操作によりスライダ３７を介して接触片３６を多方向に移動して多出力を得るようにした多方向スライドスイッチにおいて、前記スライダ３７をハウジング３５の内壁に沿ってＹ軸方向に移動可能に設けるとともに、このスライダ３７のＹ軸方向におけるスライダ３７の両側とハウジング３５の内壁との間にＹ軸方向復帰用のコイルばね５８を設け、前記操作軸３８をスライダ３７に設けた摺動孔５２内でＸ軸方向に移動可能に設けるとともに、この操作軸３８のＸ軸方向における操作軸３８の両側と摺動孔５２との間にＸ軸方向復帰用のコイルばね６７を設ける。
また、前記Ｙ軸方向復帰用のコイルばね５８は、スライダ３７におけるスライダ３７のＹ軸方向に設けたばね収納部５５に収納し、このばね収納部５５の先端部に形成したすり割り部５６を通して、前記コイルばね５８の端部とハウジング３５に突設したばね支持部４７とを当接し、前記Ｘ軸方向復帰用のコイルばね６７は、スライダ３７における操作軸３８のＸ軸方向に設けたばね収納部６２に収納し、このばね収納部６２の先端部に形成したすり割り部６３を通して、前記Ｘ軸方向復帰用のコイルばね６７の端部と操作軸３８に突設したばね支持部５３とを当接する。
さらに、前記接触片３６は、中央に操作軸３８の下面の押圧突起部６１を遊嵌する孔５０を有し、この孔５０から一方向両側に伸びた姿勢保持部４９を形成し、前記孔５０の他方向に伸びたアーム部７１に複数の接片５１を形成し、前記姿勢保持部４９の両端部を、操作軸３８の下面に隙間を持って取り付けたことを特徴とする多方向スライドスイッチである。
【発明の効果】
【００１０】
本発明は、請求項１記載の通り、スライダ３７を介して接触片３６を多方向に移動して多出力を得るようにした多方向スライドスイッチにおいて、２つのスライダをそれぞれ独立してハウジング内で移動するのではなく、スライダ３７をハウジング３５の内部で所定方向に移動可能に設け、操作軸３８をスライダ３７の摺動孔５２内で前記スライダ３７と異なる方向に移動可能に設けたので、１つのスライダ３７と他のスライダを兼用した操作軸３８だけとなり、部品点数が少なくなり、また、１つのスライダ３７の摺動孔５２内を他のスライダを兼用した操作軸３８が移動するので、小型化が可能となるとともに、組み立ても簡単になる。
【００１１】
本発明は、請求項２記載の通り、ハウジング３５内に設けた電極に、操作軸３８のセンタープッシュにより出力を得るとともに、操作軸３８の操作によりスライダ３７を介して接触片３６を多方向に移動して多出力を得るようにした多方向スライドスイッチにおいても、請求項１と同様の効果を得ることができる。
【００１２】
本発明は、請求項３記載の通り、スライダ３７をハウジング３５の内部で一方向に移動可能に設けるとともに、このスライダ３７の移動方向におけるスライダ３７の両側とハウジング３５との間に復帰用のコイルばね５８をそれぞれ設け、操作軸３８をスライダ３７に設けた摺動孔５２内でスライダ３７と異なる方向に移動可能に設けるとともに、この操作軸３８の移動方向における操作軸３８の両側と摺動孔５２との間に復帰用のコイルばね６７を設けたので、スライダ３７、復帰用のコイルばね５８、操作軸３８、復帰用のコイルばね６７を予め組み立ててハウジングに組み込むことができ、作業工程を単純化できる。
【００１３】
本発明は、請求項４記載の通り、復帰用のコイルばね５８は、スライダ３７に設けたばね収納部５５にやや圧縮して収納し、また、復帰用のコイルばね６７は、操作釦３８のばね収納部６２にやや圧縮して収納するため、とかく組み込みの面倒なコイルばねがきわめて簡単に組み込める。しかも、対をなすコイルばねの特性にばらつきがあってもスライダ３７と操作軸３８は、常に中心位置に復帰できる。また、操作軸３８の復帰用のコイルばね６７を収納するばね収納部６２を操作軸３８に設けたので、それだけ操作軸３８の長さが長くなり、操作軸３８の操作時の傾きや回り込みがほとんどなくなる。
【００１４】
本発明は、請求項５記載の通り、復帰用のコイルばね５８は、ハウジング３５に設けたばね収納部５５にやや圧縮して収納し、また、復帰用のコイルばね６７は、操作釦３８のばね収納部６２にやや圧縮して収納するので、スライダ３７、復帰用のコイルばね５８、操作軸３８、復帰用のコイルばね６７を予め組み立ててハウジング３５に組み込むことができ、作業工程を単純化できる。しかも、対をなすコイルばねの特性にばらつきがあってもスライダ３７と操作軸３８は、常に中心位置に復帰できる。また、操作軸３８の復帰用のコイルばね６７を収納するばね収納部６２を操作軸３８に設けたので、それだけ操作軸３８の長さが長くなり、操作軸３８の操作時の傾きや回り込みがほとんどなくなる。
【００１５】
本発明は、請求項６記載の通り、復帰用のコイルばね５８と復帰用のコイルばね６７は、ともにスライダ３７に設けたばね収納部５５とばね収納部６２にやや圧縮して収納するので、復帰用のコイルばね５８、と復帰用のコイルばね６７を予めスライダ３７にやや圧縮して組み立ててハウジング３５に組み込むことができ、作業工程を単純化できる。
【００１６】
本発明は、請求項７記載の通り、復帰用のコイルばね５８は、ハウジング３５に設けたばね収納部５５にやや圧縮して収納し、また、復帰用のコイルばね６７は、スライダ３７のばね収納部６２にやや圧縮して収納するので、スライダ３７、復帰用のコイルばね５８、操作軸３８、復帰用のコイルばね６７を予め組み立ててハウジングに組み込むことができ、作業工程を単純化できる。
【００１７】
本発明は、請求項８記載の通り、接触片３６は、中央に操作軸３８の下面の押圧突起部６１を遊嵌する孔５０を有し、この孔５０から一方向両側に伸びた姿勢保持部４９を形成し、孔５０の他方向に伸びたアーム部７１に接片５１を形成し、姿勢保持部４９の両端部を、操作軸３８の下面に隙間を持って取り付けたので、センタープッシュ用の電極の近くにスライダ用の接触片３６を配置することで、全体の構成の小型化が実現できるだけでなく、センタープッシュとして機能させたときに、スライド用の接触片３６に負荷がかかることがなく、寿命を十分もたせることができる。
【００１８】
本発明は、請求項９記載の通り構成したので、部品点数が少なくなり、小型化が可能となるとともに、組み立ても簡単になること、特に、面倒なコイルばねがきわめて簡単に組み込めること、対をなすコイルばねの特性にばらつきがあってもスライダ３７と操作軸３８は、常に中心位置に復帰できること、操作軸３８の操作時の傾きや回り込みがほとんどなくなること、センタープッシュ用の電極の近くにスライダ用の接触片３６を配置することで、全体の構成の小型化が実現できるだけでなく、センタープッシュとして機能させたときに、スライド用の接触片３６に負荷がかかることがなく、寿命を十分もたせることができることのすべての効果を有するものを提供できる。
【００１９】
本発明は、請求項１０記載の通り、ばね収納部５５及び／又はばね収納部６２の底部は、収納されるコイルばねの曲面に対応して半円形としたことにより、肉厚を可能な限り薄く形成でき、スライドスイッチの全体の形状をより薄く構成できる。
【発明を実施するための最良の形態】
【００２０】
本発明によるハウジングは、プラスチックなどの絶縁性を有する材料からなり、その底部上にプッシュスイッチ用の電極とスライドスイッチ用の電極を設ける。操作軸は、センタープッシュとスライド操作を兼用する。操作軸がＸ軸方向に移動するものとすると、他のスライダをＹ軸方向に移動可能とし、これらの操作軸とスライダとによって接触片を多方向に移動して多出力を得る。
スライダは、ハウジングの内壁に沿ってＹ軸方向に移動可能に設け、また、このスライダのＹ軸方向におけるスライダの両側とハウジングの内壁との間にＹ軸方向復帰用のコイルばねを設ける。操作軸は、スライダに設けた摺動孔内でＸ軸方向に移動可能に設けるとともに、この操作軸のＸ軸方向における操作軸の両側と摺動孔との間にＸ軸方向復帰用のコイルばねを設ける。
Ｙ軸方向復帰用のコイルばねは、スライダにおけるばね収納部に収納し、このばね収納部の先端部に形成したすり割り部を通して、コイルばねの端部とハウジングに突設したばね支持部とを当接する。Ｘ軸方向復帰用のコイルばねは、スライダにおけるばね収納部に収納し、このばね収納部の先端部に形成したすり割り部を通して、Ｘ軸方向復帰用のコイルばねの端部と操作軸に突設したばね支持部とを当接する。
接触片は、中央に操作軸の下面の押圧突起部を遊嵌する孔を有し、この孔から一方向両側に伸びた姿勢保持部を形成し、孔の他方向に伸びたアーム部に複数の接片を形成し、姿勢保持部の両端部を、操作軸の下面に隙間を持って取り付ける。
【実施例１】
【００２１】
図１乃至図５に基づき第１実施例を説明する。
図５において、本発明の多方向スライドスイッチは、ハウジング３５、接触片３６、スライダ３７、操作軸３８、スペーサ３９、カバー４０及び２個ずつのコイルばね５８、６７とからなる。
前記ハウジング３５は、プラスチックなどの絶縁材料を用いた底部４１のある略長方形の箱状に形成されている。前記底部４１の中心部には、２個の円弧状の円形突部４５が設けられ、また、図中上下の側壁部分を一部外方へ膨出して膨出部４６が設けられ、この膨出部４６の内側には、中心方向に伸びたばね支持部４７が設けられている。また、前記底部４１には、中心の中央電極４２、その周りのコモン電極４３、側壁近くの切換え電極群４４ａ、４４ｂ、４４ｃ、４４ｄが設けられている。
【００２２】
前記中央電極４２は、中心部からハウジング３５の外部まで伸びている。前記コモン電極４３は、中央電極４２の外周からハウジング３５の外部まで伸びるとともに、４隅にコモン電極４３ａ、４３ｂ、４３ｃ、４３ｄが伸びている。前記切換え電極群４４は、第１、第２、第３、第４切換え電極４４ａ、４４ｂ、４４ｃ、４４ｄからなり、前記コモン電極４３ａ、４３ｂ、４３ｃ、４３ｄに間隔を持ってそれぞれ対峙している。このうち、コモン電極４３ａと第１切換え電極４４ａ、コモン電極４３ｃと第３切換え電極４４ｃはそれぞれＹ軸方向に間隔をもち、コモン電極４３ｂと第２切換え電極４４ｂ、コモン電極４３ｄと第４切換え電極４４ｄはそれぞれＸ軸方向に間隔をもっている。
前記円形突部４５の内側には、逆さ椀型の円形コンタクト４８が載せられている。
【００２３】
前記接触片３６は、導電性と弾性を有する金属板からなり、一方向に伸びた回り止めのための姿勢保持部４９の中心に円形などの孔５０が穿設され、また、他方向の両側からそれぞれアーム部７１がＴ字状に伸び、それぞれのアーム部７１の両端部を下向きに湾曲させて第１、第２、第３、第４接片５１ａ、５１ｂ、５１ｃ、５１ｄが形成されている。
【００２４】
前記操作軸３８は、中心部に操作釦を取り付ける角筒状の操作釦取付け軸部５９を有し、この操作釦取付け軸部５９の両側に摺動アーム部７０が伸び、これらの摺動アーム部７０には、コイルばね６７を収納するためのばね収納部６２がそれぞれ設けられている。このばね収納部６２の先端部には、後述するばね支持部５３が進退するすり割り部６３が形成されている。また、操作釦取付け軸部５９の他の両側面下部には、抜け止め突片６４が膨出し、また、下面部には、前記接触片３６の姿勢保持部４９が嵌合する嵌合切欠き６５が形成されている。さらに、この嵌合切欠き６５には、図２及び図３に示すように、前記孔５０に遊嵌する円形部６０と、前記円形コンタクト４８を押圧する山形の押圧突起部６１が一体に設けられている。
【００２５】
前記スライダ３７は、略直方体をなし、左右（Ｘ軸方向）の長さは、前記ハウジング３５の両側内壁に略接するように嵌合し、かつ、前後（Ｙ軸方向）の長さは、摺動可能な隙間を有する幅をなしている。また、内部に、前記操作軸３８が嵌合して左右（Ｘ軸方向）に移動可能な摺動孔５２が穿設され、この摺動孔５２の左右の内壁からそれぞればね支持部５３が突出して設けられている。前記摺動孔５２の下面には、前記抜け止め突片６４が嵌合して摺動するための摺動切欠き５４が形成されている。前記スライダ３７の前後（Ｙ軸方向）の位置には、それぞれ山形に膨出してコイルばね５８が収納されるばね収納部５５が形成され、このばね収納部５５の先端部には、前記ばね支持部４７が遊嵌するすり割り部５６が形成されている。このばね収納部５５の側には、前記スペーサ３９との接触抵抗を少なくするための４個のリブ５７が設けられている。下面の４隅には、下端が球状の摺動脚部６６が設けられている。
【００２６】
前記カバー４０は、前記ハウジング３５の上面に固着されるもので、外形は、前記ハウジング３５と略同一で、中央には、操作釦取付け軸部５９の移動が可能な範囲の軸通し孔６９が穿設されている。
前記スペーサ３９の中央には、前記操作軸３８の操作釦取付け軸部５９が遊嵌して前記スライダ３７のリブ５７の上に載って操作軸３８と一体に移動するための軸通し孔６８が穿設され、このスペーサ３９の外形は、操作軸３８の移動時に前記軸通し孔６９から内部が露出するのを防止する大きさに設けられている。
【００２７】
次に組み立て順序を説明する。
（１）ハウジング３５の円形突部４５の間にプッシュスイッチ用の円形コンタクト４８を突出部分が上になるようにして組み込む。
（２）スライダ３７の２個所のばね収納部５５にそれぞれコイルばね５８をやや圧縮して組み込む。
（３）操作軸３８の２個所のばね収納部６２にそれぞれコイルばね６７をやや圧縮して組み込む。
（４）前記（２）のスライダ３７に、前記（３）の操作軸３８を下から組み込む。すると、スライダ３７のばね支持部５３が操作軸３８のすり割り部６３に遊嵌するとともに、操作軸３８の抜け止め突片６４がスライダ３７の摺動切欠き５４に係合する。
（５）前記（４）の操作軸３８に下側から接触片３６を嵌め込んで加締める。すると、姿勢保持部４９がＸ軸方向ばね嵌合切欠き６５に嵌め込まれるとともに、円形部６０が孔５０に遊嵌する。このとき、抜け止め突片６４の下面と姿勢保持部４９の上面との間に押し釦として動作するための隙間７２が形成される。
（６）前記（１）のハウジング３５に、前記（５）で組み込んだものを組み込む。図１は、この組み立て状態を示している。
（７）前記（６）で組み込んだものに、スペーサ３９を組み立てる。このとき、操作釦取付け軸部５９が軸通し孔６８から上方へ突出する。
（８）前記（７）で組み込んだものに、カバー４０を被せて固着することで、図２及び図３に示すように組み立てが完成する。なお、操作軸３８の操作釦取付け軸部５９には、必要に応じて図示しない操作釦が取り付けられる。
【００２８】
以上のようにして組み立てられた多方向スライドスイッチは、Ｙ軸方向では、前後のコイルばね５８にそれぞればね支持部４７が無負荷状態で接触し、また、Ｘ軸方向では、左右のＸ軸方向ばねコイルばね６７にそれぞればね支持部５３が無負荷状態で接触しており、スライダ３７と操作軸３８は、中心位置に保持されている。
この状態で、操作軸３８を押し下げると、押圧突起部６１が円形コンタクト４８を押しつぶして中央電極４２とコモン電極４３との回路が接続される。操作軸３８の押下げ力を解除すると、円形コンタクト４８の反転しようとする押し上げ力で操作軸３８が上昇し、中央電極４２とコモン電極４３の回路は開放となる。センタープッシュスイッチとなる。
【００２９】
つぎに、操作軸３８を＋Ｘ軸方向に移動すると、右側のコイルばね６７がばね支持部５３と当接して圧縮される。左側のコイルばね６７は、ばね支持部５３から離れるが伸びることなくばね収納部６２に収納されたままとなる。この状態では、第２接片５１ｂが第２切換え電極４４ｂに、第４接片５１ｄがコモン電極４３ｄに接触して、第２切換え電極４４ｂとコモン電極４３の回路が接続される。操作軸３８の＋Ｘ軸方向の移動を解除すると、右側のコイルばね６７により中央に復帰し、図１の状態となる。以上の動作においてスライダ３７は、移動することはない。
操作軸３８を−Ｘ軸方向に移動しようとする場合の動作も同様である。
【００３０】
操作軸３８を＋Ｙ軸方向に移動しようとすると、スライダ３７も一体に移動して上側のコイルばね５８がばね支持部４７と当接して圧縮される。下側のコイルばね５８は、ばね支持部４７から離れるが伸びることなくばね収納部５５に収納されたままとなる。この状態では、第１接片５１ａが第１切換え電極４４ａに、第３接片５１ｃがコモン電極４３ｃに接触して、第１切換え電極４４ａとコモン電極４３の回路が接続される。操作軸３８の＋Ｙ軸方向の移動を解除すると、操作軸３８とスライダ３７は上側のコイルばね５８により中央に復帰し、図１の状態となる。
操作軸３８を−Ｙ軸方向に移動しようとする場合の動作も同様である。
【００３１】
図４に示した実施例では、電極の配置が接触片３６をＸ軸方向又はＹ軸方向に移動するときのみ開閉するようにした。しかし、これに限られるものではなく、３０度、４５度、６０度などの他、特定の方向に電極を配置して開閉動作するようにしてもよい。
また、単にデジタル的に電極の開閉動作するだけでなく、移動量に応じてアナログ的に抵抗値、電圧値などが変化するように構成することもできる。
【実施例２】
【００３２】
前記実施例では、操作軸３８の左右に摺動アーム部７０を延長し、この摺動アーム部７０にばね収納部６２とすり割り部６３を形成した。これは、操作軸３８の移動方向に長くすることで、操作軸３８の操作時の摺動孔５２内での傾きや回り込みをできるだけ抑えることができることによる。
しかし、この例に限られるものではなく、図６に示すように、スライダ３７のＹ軸方向に２個のばね収納部５５を設けるとともに、Ｘ軸方向にも２個のばね収納部６２を設け、操作軸３８には、Ｘ軸方向にばね支持部５３だけを設けるようにしてもよい。このような構成とすることで、操作軸３８の移動方向の長さが短くなり、操作時の摺動孔５２内での傾きがやや大きくなる恐れがあるが、４個のコイルばねをスライダ３７だけに収納すればよいので、組み立てが簡単になるという効果がある。
【実施例３】
【００３３】
前記実施例では、操作軸３８の左右に摺動アーム部７０を延長し、この摺動アーム部７０にそれぞれ１個ずつのばね収納部６２を形成した。
しかし、この例に限られるものではなく、図７（ａ）（ｂ）に示すように、左右のばね収納部６２の間の操作釦取付け軸部５９を貫通して１個のコイルばね６７を収納するようにしてもよい。
【実施例４】
【００３４】
前記実施例では、スライダ３７のばね収納部５５と操作軸３８のばね収納部６２とを角型に図示したが、この例に限られるものではなく、むしろ、図８（ａ）（ｂ）に示すように、これらのばね収納部５５とばね収納部６２の底部は、収納されるコイルばねの曲面に対応して半円形とする。このようにすれば、底部の肉厚を可能な限り薄く形成することができる。
【実施例５】
【００３５】
前記実施例では、ハウジング３５とスライダ３７の間に介在されるコイルばね５８収納するためのばね収納部５５をスライダ３７側に形成し、ばね支持部４７をハウジング３５側に形成したが、これに限られるものではなく、図９に示すように、ばね収納部５５をハウジング３５側に形成し、ばね支持部４７をスライダ３７側に形成するようにしてもよい。
前記第１実施例、第２実施例及び第５実施例におけるばね収納部５５とばね収納部６２の構成の違いの組み合わせによって、次の４つの実施例が可能となる。
（１）一方向復帰用のコイルばね５８を収納するばね収納部５５は、スライダ３７に形成し、また、異なる方向復帰用のコイルばね６７を収納するばね収納部６２は、操作軸３８に形成する。
（２）一方向復帰用のコイルばね５８を収納するばね収納部５５は、ハウジング３５に形成し、また、異なる方向復帰用のコイルばね６７を収納するばね収納部６２は、操作軸３８に形成する。
（３）一方向復帰用のコイルばね５８を収納するばね収納部５５は、スライダ３７に形成し、また、異なる方向復帰用のコイルばね６７を収納するばね収納部６２もスライダ３７に形成する。
（４）一方向復帰用のコイルばね５８を収納するばね収納部５５は、ハウジング３５に形成し、また、異なる方向復帰用のコイルばね６７を収納するばね収納部６２は、スライダ３７に形成する。
【図面の簡単な説明】
【００３６】
【図１】本発明による多方向スライドスイッチの一実施例を示すもので、カバー４０とスペーサ３９を除いた平面図である。
【図２】図１におけるＡ−Ａ線断面図である。
【図３】図１におけるＢ−Ｂ線断面図である。
【図４】図１における多方向スライドスイッチのハウジング３５に接触片３６を載せた平面図である。
【図５】図１における多方向スライドスイッチの分解斜視図である。
【図６】本発明による多方向スライドスイッチの第２実施例を示すスライダ３７と操作軸３８の分解斜視図である。
【図７】本発明による多方向スライドスイッチの第３実施例を示すもので、（ａ）は、操作軸３８の平面図、（ｂ）は、（ａ）におけるＢ−Ｂ線断面図である。
【図８】本発明による多方向スライドスイッチの第４実施例を示すもので、（ａ）は、ばね収納部６２の（ｂ）におけるＣ−Ｃ線断面図、（ｂ）は、（ａ）におけるＤ−Ｄ線断面図である。
【図９】本発明による多方向スライドスイッチの第５実施例を示すハウジング３５とスライダ３７の一部の平面図である。
【図１０】従来の多方向スライドスイッチの一例を示すカバーを外した平面図である。
【図１１】従来の多方向スライドスイッチの他の例を示すカバーを外した平面図である。
【符号の説明】
【００３７】
１０…ハウジング、１１…底板、１２…Ｘ軸方向スライダ、１３…Ｙ軸方向スライダ、１４…Ｘ軸方向ガイド部、１５…Ｙ軸方向ガイド部、１６…Ｘ軸方向ばね、１７…Ｙ軸方向ばね、１８…Ｘ軸方向可動接片、１９…Ｙ軸方向可動接片、２０…Ｘ軸方向固定接片、２１…Ｘ軸方向固定接片、２２…Ｙ軸方向固定接片、２３…Ｙ軸方向固定接片、２４…Ｘ軸方向ガイド孔、２５…Ｙ軸方向ガイド孔、２６…操作軸、２７…ばね収納凹部、２８…ばね収納凹部、２９…ばね押圧切欠き、３０…ばね押圧切欠き、３５…ハウジング、３６…接触片、３７…スライダ、３８…操作軸、３９…スペーサ、４０…カバー、４１…底部、４２…中央電極、４３…コモン電極、４４…切換え電極、４５…円形突部、４６…膨出部、４７…ばね支持部、４８…円形コンタクト、４９…姿勢保持部、５０…孔、５１…接片、５２…摺動孔、５３…ばね支持部、５４…摺動切欠き、５５…ばね収納部、５６…すり割り部、５７…リブ、５８…コイルばね、５９…操作釦取付け軸部、６０…円形部、６１…押圧突起部、６２…ばね収納部、６３…すり割り部、６４…抜け止め突片、６５…嵌合切欠き、６６…摺動脚部、６７…コイルばね、６８…軸通し孔、６９…軸通し孔、７０…摺動アーム部、７１…アーム部、７２…隙間。
【図１】
2005310439.tif 000003
【図２】
2005310439.tif 000004
【図３】
2005310439.tif 000005
【図４】
2005310439.tif 000006
【図５】
2005310439.tif 000007
【図６】
2005310439.tif 000008
【図７】
2005310439.tif 000009
【図８】
2005310439.tif 000010
【図９】
2005310439.tif 000011
【図１０】
2005310439.tif 000012
【図１１】
2005310439.tif 000013